Podtech/llm-jp-corpus-v4-ja_patent huggingface dataset:
(57)【要約】【課題】検知装置を着けたユーザーの心拍が正常ではない時、水難救助員や医療員に警告を提示でき、また、ユーザーの位置を表示できる非常警報救命装置を提供する。【解決手段】無線信号を受信する機能を有する信号受信モジュールがあり、信号を視覚や聴覚に変換するソフトウェアを有する警告モジュールや表示モジュールが結合されるモニタ装置と、ユーザーの心拍を検知でき、カウンタとインダクター等があり、心拍指数が予めに設定した値より大きい時や小さい時、信号発送モジュールで無線信号を発送する心拍測定素子を有する検知装置と、検知装置からの無線信号を受信して、モニタ装置に伝送する三つ以上の定位装置と、から成る。【選択図】図１
0003129275.tif 000002
【実用新案登録請求の範囲】
【請求項１】
無線信号を受信する機能を有する信号受信モジュールがあり、信号を視覚や聴覚に変換するソフトウェアを有する警告モジュールや表示モジュールが結合されるモニタ装置と、
ユーザーの心拍を検知でき、カウンタとインダクター等があり、心拍指数が予めに設定した値より大きい時や小さい時、信号発送モジュールで無線信号を発送する心拍測定素子を有する検知装置と、
検知装置からの無線信号を受信して、モニタ装置に伝送する三つ以上の定位装置と、が含有される、ことを特徴とする非常警報救命装置。
【考案の詳細な説明】
【技術分野】
【０００１】
本考案は、所定の人に対して、心拍を検知して、当該人の心拍指数が正常ではない時、自動的に救急救命士に通知して、最も短い時間内で救援できる非常警報救命装置に関する。
【背景技術】
【０００２】
病院の病者や老人ホームの老人、プールや水遊び場所或いは運動場の運動員及び子供は、危険に遭う可能性が高い群であり、特に、病院の病者や老人ホームの老人は、病気や年寄りにより、動きが遅くて、スムーズではなく、また、高血圧や心臓病等の瞬間に発作する病気の場合、病院や老人ホームにおいて、数多い病者に比して、看護婦や介護者の数が、相対的に少ないため、一時的の油断により、大変な医療紛糾を招致する恐れがある。
【０００３】
病院において、病者に心拍検知システムを接続して、病者の心拍指数が正常でない時、即時に、看護婦に知らせるが、病床にしか利用できないため、一般の移動できる病者や老人に適用できない。プールや水遊び場所そして運動場の運動員は、体が丈夫であっても、痙攣や溺没、心臓病、喘息及び熱射病等の危険に遭う恐れがある。また、広い場所であれば、無線電信等で通報できても、精確に位置を通報できない場合があるため、救急救命士が遅れて目的地に到達する恐れがある。
【考案の開示】
【考案が解決しようとする課題】
【０００４】
本考案の目的は、定位装置を病院や老人ホーム、プール、水遊び場所或いは運動場等の高危険場所に実装し、検知装置を病者や老人、子供或いは運動員の身に着け、ユーザーの心拍を検知することにより、ユーザーが、溺没や心臓病、喘息或いは熱射病等の情況に遭ったことにより、心拍が正常ではない時、即時に信号を伝送し、また、モニタ装置により、直接に警告を提示し、また、精確にユーザーの位置を表示できる非常警報救命装置を提供する。
【課題を解決するための手段】
【０００５】
本考案は、無線信号を受信する機能を有する信号受信モジュールがあり、信号を視覚や聴覚に変換するソフトウェアを有する警告モジュールや表示モジュールが結合されるモニタ装置と、ユーザーの心拍を検知でき、カウンタとインダクター等があり、心拍指数が予めに設定した値より大きい時や小さい時、信号発送モジュールで無線信号を発送する心拍測定素子を有する検知装置と、検知装置からの無線信号を受信して、モニタ装置に伝送する三つ以上の定位装置と、が含有されることを特徴とする非常警報救命装置である。
【考案を実施するための最良の形態】
【０００６】
本考案は、図１を参照しながら、モニタ装置１０と検知装置２０及び三つ以上の定位装置３０が含有され、当該モニタ装置１０は、無線信号を受信する機能を有する信号受信モジュール１１があり、また、信号を視覚や聴覚に変換するソフトウェアを有する警告モジュール１２や表示モジュール１３が結合され、当該検知装置２０は、ユーザーの、例えば、腕や足首或いは胸前等に着けられ、カウンタとインダクター等からなる心拍測定素子２２により、ユーザーの心拍２１を検知し、そして、心拍指数が予めに設定した値より大きい時や小さい時、信号発送モジュール２３で、無線信号を発送でき、また、第１の定位装置３１と第２の定位装置３２及び第３の定位装置３３は、検知装置２０からの無線信号を受信して、モニタ装置１０に伝送する。
【０００７】
使用する時、図２と３を参照しながら、検知装置２０をユーザーの身に着けて、心拍測定素子２２によりユーザーの心拍２１を測定し、心拍２１が許容値の範囲内であれば、ユーザーの心拍２１を測定し続き、測定結果が、予めに設定した値より大きい時や小さい時であれば、信号発送モジュール２３で信号を発送し、当該信号が、各定位装置３０の第１の定位装置３１と第２の定位装置３２及び第３の定位装置３３によって受信され、また、定位装置３０により、信号を転送したて、モニタ装置１０は、信号受信モジュール１１により当該信号を受信して、モニタ装置１０の警告モジュール１２と表示モジュール１３により、それぞれ、独自に或いは同時に警告を提示し、また、第１の定位装置３１と第２の定位装置３２及び第３の定位装置３３が信号を受信した距離を、統合して算出して、３点以上の定位の方式により運算することにより、検知装置２０の実際位置を算出し、そして、モニタ装置１０の表示モジュール１３のスクリーンに表示する。
【０００８】
上記の具体的の実施例によれば、下記の効果が得られ、定位装置３０を病院や老人ホーム、プール、水遊び場所及び運動場等の高危険場所に実装し、検知装置２０を病者や老人、子供或いは運動員の身に着けることにより、ユーザーの心拍を検知し、ユーザーが溺没や心臓病、喘息或いは熱射病等の情況に遭うことにより、心拍が正常でない時、即時に信号を送信でき、また、モニタ装置１０により直接に警告を提示してユーザーの詳細位置を表示し、そのため、比較的に少ない水難救助員や医療員でも、モニタ装置１０によって表示された範囲内の突発情況を完全に把握できる。
【図面の簡単な説明】
【０００９】
【図１】本考案の立体図
【図２】本考案の使用状態の流れ図
【図３】本考案の信号伝送の概念図
【符号の説明】
【００１０】
１０    モニタ装置
１１    信号受信モジュール
１２    警告モジュール
１３    表示モジュール
２０    検知装置
２１    心拍
２２    心拍測定素子
２３    信号発送モジュール
３０    定位装置
３１    第１の定位装置
３２    第２の定位装置
３３    第３の定位装置
【図１】
0003129275.tif 000003
【図２】
0003129275.tif 000004
【図３】
0003129275.tif 000005
(57)【要約】      （修正有）【課題】本考案は、監視用カメラを収納する屋外用カメラケースに関するものである。カメラケースのガラス窓部の表面に付着した雨滴をワイパレスにて除くことができ、且つその効果が長く持続可能でメンテナンスの容易な屋外用カメラケースを提供する。【解決手段】カメラより被写体を臨むガラス窓部の表面に光触媒性物質を塗布し、その光触媒効果により雨滴を除くようにした。また、その効果を持続させるためカメラケースを水平としても、監視可能なようにカメラ角度の調節をケース内部のカメラ取り付け台にて行うようにした。更に、ガラス窓部の表面の異物等を除去する目的でエア吹き付け手段を備えるようにした。【選択図】図３
0003129770.tif 000002
【実用新案登録請求の範囲】
【請求項１】
カメラより被写体を臨むガラス窓部の表面に光触媒性物質を塗付したことを特徴とする屋外用カメラケース。
【請求項２】
カメラケース内部のカメラ取り付け台は角度調節手段を備えたものであることを特徴とする請求項１に記載の屋外用カメラケース。
【請求項３】
前記ガラス窓部の表面に付着した異物等を除去するためのエア吹き付け手段を備えたものであることを特徴とする請求項１に記載の屋外用カメラケース。
【考案の詳細な説明】
【技術分野】
【０００１】本考案は、監視用カメラを収納する屋外用カメラケースに関するものである。
【背景技術】
【０００２】カメラケースを屋外に設置した場合、降雨時、ガラス窓部の表面に雨滴が付着して視界が妨げられることがある。また、下方監視の際には、雨滴が下向きに傾斜したガラス窓部の中央辺りより滴り落ちるため、後にその部分を中心に水垢等による汚れが生じることがある。
この問題を解決するものとして、ワイパを取り付けてガラス窓部の表面の雨滴を取り除くようにしたカメラケースが知られている。
【考案の開示】
【考案が解決しようとする課題】
【０００３】従来のワイパ付きカメラケースは、ワイパのゴムかきとり部が劣化しやすく、その機能を長く維持できないというメンテナンス上の問題があった。
また、ガラス窓部の表面は、付着した粉塵等の異物がワイパとの間で擦れ、損傷、或いはくもりが発生して視界が悪化するという問題があった。
本考案は、上記課題を解決するためになされたものである。
【課題を解決するための手段】
【０００４】上記課題を解決するために請求項１に記載の考案は、カメラより被写体を臨むガラス窓部の表面に光触媒性物質を塗布するようにしている。
請求項２に記載の考案は、カメラ角度の調節をカメラケース内部のカメラ取り付け台にて行うようにしている。
請求項３に記載の考案は、前記ガラス窓部の表面に付着した異物等を除去するためのエア吹き付け手段を備えるようにしている。
【考案の効果】
【０００５】本考案によると次の優れた効果を奏しうる。
本考案によるカメラケースは、ガラス窓部の表面に光触媒性物質を塗布するようにしている。光触媒性物質は親水性を有し、降雨時、ガラス窓部に付着した雨滴は、光触媒性物質の親水効果によって薄膜状となって拡がるため、ワイパを使用することなく視界の悪化を防ぐことができる。
また、光触媒性物質は水分が供給されることで汚れ分解効果を発揮するため、ガラス窓部の粉塵等異物を洗浄除去することができる。
光触媒性物質による効果はその表面に汚れが付着することで経年劣化するが、これを風雨にさらすようにすることで自身の有する汚れ分解効果によって洗浄され効果が持続する。
本考案においては、カメラケースを水平に固定して設置することで、光触媒性物質（即ちガラス窓部）を風雨にさらし、その効果を維持できるようにしている。そして、カメラケース内のカメラ取り付け台にてカメラ向きの調節を行うようにすることで、上方（或いは下方）監視に対応している。
また、本考案によるカメラケースは、ガラス窓部の表面にエアを吹き付けるための手段を備えるようにしている。従って、粉塵の量が多いとき、或いは降雪等によって光触媒による親水効果及び汚れ分解効果を阻害するようなときは、エアを吹き付けてガラス窓部の表面を洗浄することができる。
【実施例】
【０００６】以下、本考案によるカメラケースの一実施例について説明する。
図１は本考案によるカメラケースの正面図、図２はその左側面図である。図３は、カメラ取り付け台４を下向きにセッティングしたときの状況を示すものである。
カメラケース１の前面（カメラレンズより被写体を臨む一面）には光触媒性物質をその表面に塗布したガラス窓２を配置する。カメラケース１の内部には、監視用カメラ３、カメラ取り付け台４、エアポンプ５を設置する。エアポンプ５はガラス窓２の表面に付着若しくは堆積した粉塵等異物を除去するエアを吹き付けるためのものである。エアポンプ５より吐出されたエアは、ホース６を介してエア鋼管７に設けられたエア吹き出し口８より噴出される。
カメラ取り付け台４は、金枠９（可動枠）、金枠１０（固定枠）を重ね合わせた構造とし、これを蝶ネジ１１、１２で固定するようにしている。金枠９、１０には開口部１３を設け、開口部１３内の任意の箇所で蝶ネジ１１により金枠９、１０を固定することで角度調節が行えるようにしている。
以下にカメラ取り付け台４の角度調節の手順を示す。
蝶ネジ１１、１２を緩める。蝶ネジ１２を支点として金枠９の後方を持ち上げ、金枠９の位置を定めカメラ取り付け台４の角度調節を行う。これに伴い蝶ネジ１１は開口部１３ａの位置となる。カメラ取り付け台４の角度調節作業は以上で終了し、蝶ネジ１１、１２を締込み、金枠９、１０を固定する。
尚、本考案を実施するための形態としては、上述したように、カメラ取り付け台４の角度調節のための可動域が必要であること、また、設置スペースの面からも、ケースの形状は縦型（所謂タワー型）とすることが望ましい。
また、本実施例においては、カメラ取り付け台４の角度調節に関して手動による方式を紹介しているが、自動調節のそれとすることも勿論実施可能である。
【図面の簡単な説明】
【０００７】
【図１】本考案によるカメラケース１の正面図である。
【図２】本考案によるカメラケース１の左側面図である。
【図３】カメラ取り付け台４を下向きにセッティングしたときの状況を示す左側面図である。
【符号の説明】
【０００８】１    カメラケース
２    ガラス窓
３    監視用カメラ
４    カメラ取り付け台
５    エアポンプ
６    ホース
７    エア鋼管
８    エア吹き出し口
９    金枠（可動枠）
１０  金枠（固定枠）
１１  蝶ネジ
１２  蝶ネジ
１３  開口部
【図１】
0003129770.tif 000003
【図２】
0003129770.tif 000004
【図３】
0003129770.tif 000005
(57)【要約】      （修正有）【課題】障害者マークを車の前後のウインドー等に取り付け、駐車時には駐車禁止除外許可書をダッシュボード上に提示する場合に、明確に確認出来るようにする。【解決手段】同型サイズの長方形透明樹脂板Ａ，Ｂの２枚の三周辺部を障害者マークＥ及駐車禁止除外許可書Ｄが出し入れ出来る程度に接着一体化し、許可書、障害者マークを並べ表示板内に挿入し帯状のゴムを表示板の下端部にかしめ金具Ｈで固定し、カット部に面ファスナーＧの上部を通し、透明樹脂板の上端部がともに締め付けられサンバイザー１の可動部を利用し提示収納が簡単であり外部より明確に駐車禁止除外許可書と障害者マークが確認できる車外表示用補助具。【選択図】図１
0003129763.tif 000002
【実用新案登録請求の範囲】
【請求項１】
自動車のサンバイザーに取り付け所定のマークや許可書等書類の表示部材を車外に表示する為の車外表示補助具であり、前記表示部材を視認可能にするための透明ケースと、この透明ケースを前記サンバイザーに取り付ける為の取り付け部材とを有していることを特徴とする車外表示用補助具
【請求項２】
請求項１において、前記取り付け部材は帯状のゴムで形成され前記サンバイザーを巻回しさらにかさなり合う重複部をもうけ、重複部に面ファスナーを取り付けた部材が設けられている事を特徴とする車外表示用補助具
【考案の詳細な説明】
【技術分野】
【０００１】自動車の運転席用助手席用に装備されている可動式のサンバイザーに、通常使用時ガラス面外側となる面に前記記載の表示用補助具を装着し、簡単に提示格納できる。
【背景技術】
【０００２】障害者マークを、フロントガラスやマグネット式のマークをボンネット等に装着し駐車禁止除外許可書駐車の際にダッシュボード上に提示、走行時ダッシュボード内等に収納。
【考案の開示】
【考案が解決使用とする課題】
【０００３】障害者マークマグネット式でボディーの前後に、又は前後のガラスに吸盤等で固定提示しているが一般に市販などされているように、駐車禁止除外の対象車とはならず駐車禁止除外許可書の提示が無ければ駐車禁止違反となり、許可書の提示忘れや車種により、見えずらいダッシュボードもあり明確に確認出来る事を課題とする
【課題を解決する為の手段】
【０００４】上記課題を解決するために、運転席又は助手席側のサンバイザーに請求項１に記載の長方形透明樹脂薄板に前記障害者マーク、駐車禁止除外許可書を横並びに収め、サンバイザーの使用時フロントガラス面外側となる面に取り付けサンバイザーの可動部にて、簡単に提示、収納できる請求項１の車外表示補助具を取り付ける。
【考案の効果】
【０００５】請求項１に記載されているように、サンバイザー図４正面取り付け図の用に取り付ける為に、運転席側助手席側のどちら側に取り付けしてもフロントガラスごしに障害者マーク駐車禁止除外許可書が上記記載のように横並びで提示されるために明確に確認でき且つ提示収納が簡単に出来る表示板である。
【考案を実施するための最良の形態】
【０００６】最良の形態は図をもって説明、請求項１に記載されている通り図１の用にＤ駐車禁止除外許可書Ｅ障害者マークが入る厚みで透明樹脂板の一辺を許可書出し入れ口として接着せず、三周辺部を接着一体化し裏面となる部分に図２の用に本体下部にＣ帯状のゴムを立てに固定し上部から許可書、障害者マーク収納後固定されていない帯状のゴム、の上部の端を図２のように本体上部のＦ部に通し図３の用になり上部及下部の先端部に面ファスナーを取り付けた構成となり図４のバイザー本体に請求項１を帯状のゴムにて本体がずれない程度に巻き付け面ファスナー圧着する、取り付けと同時に未接着の上部図４の，Ａ，ＢのＦ部を通し巻き付けるために未接着部のとじ口も兼ねる請求項２の取り付け部材であり図５のように面ファスナーを長めに取り付けることにより厚みや、幅大きさの違うバイザーに取り付けができる。
【実施例】
【０００７】請求項１の表示板は駐車時回りの車や対向車等からも確認でき、尚且つ警察等による違法駐車取締時にも障害者マークの反射材とともに昼夜とはず確認性が高く、空港など警備員がいる駐車場ではバイザーを下げるだけで請求項１の表示板が提示となり障害者マーク、除外許可書が一目で確認出来るため、スムーズな誘導駐停車が受けられ、フロントガラス障害者マーク取り付けによる視界の妨げが無く、許可書の提示収納時の傷み減少し必要な時にスムーズに提示出来る標示板である。
【図面の簡単な説明】
【０００８】
【図１】図１障害者マークと駐車禁止除外書の収まりを示す解体図
【図２】図２表示板本体取り付け用部材透視図
【図３】図３表示板本体に障害者マーク等を収め装着前の裏面図
【図４】図４標示板をサンバイザーに装着提示状態を示す正面図
【図５】図５標示板をサンバイザーに装着時の断面図
【符号の説明】
１自動車のサンバイザーＡ長方形の透明樹脂板Ｂ長方形の透明樹脂板Ｃ帯状のゴムＤ駐車禁止除外許可書Ｅ障害者マークＦ本体上部に帯状のゴムを通す為のカット部Ｇ面ファスナーＨ本体下部に帯状のゴムを固定する部材
【図１】
0003129763.tif 000003
【図２】
0003129763.tif 000004
【図３】
0003129763.tif 000005
【図４】
0003129763.tif 000006
【図５】
0003129763.tif 000007
(57)【要約】      （修正有）【課題】餌をアリやナメクジ等の侵入から防ぎ、シンプルで安定感のあるネジ構造の一体型で、餌入れと飲水入れ容器は取り外し可能で単独使用も出来、その為、簡単に取り外せ、底が丸みを成しているので洗浄が楽で衛生的であり、別々に取り扱い出来るので,餌の残りを無駄にせず経済的でもある、容器の縁全てにこぼれ防止の膨らみを付けてあるので回りにこぼれ難いペット用食器を提供する。【解決手段】餌入れの外側に水入れを配置し、アリやナメクジ等の侵入を防止する。ネジ構造により餌入れと水入れが一体化し安定感のある取外し・単独使用可能なペット用餌飲水入れ食器。【選択図】図１
0003129762.tif 000002
【実用新案登録請求の範囲】
【請求項１】
外側に飲水容器をその内部に全周で外側容器と水面で隔離されるように取外し可能で別々に使用できる餌食器を有する、ペット用餌飲水入れ食器。
【請求項２】
餌容器が飲水容器内側のセット場所にネジ構造により組合されている、請求項1のペット用餌飲水入れ食器。
【請求項３】
内部の餌容器は外側の水入れ容器の水面より高い位置にある、請求項1のペット用餌飲水入れ食器。
【請求項４】
餌入れと飲水容器の縁上部が図5状にこぼれ防止のふくらみを持つ、請求項1のペット用餌飲水入れ食器。
【考案の詳細な説明】
【技術分野】
【０００１】
本考案は、ペット用の食器容器に関するものである。
【背景技術】
【０００２】
外に置いた餌入れに、アリやナメクジが入り込んでいることがよくあり、ペットもこれには、食欲をなくす。その為、飼い主は常に気を配らなければならない。
【０００３】
虫駆除剤を使うのは、誤ってペットが食べる恐れがあり危険な為、使用できない。
【特許文献１】実登 3047258
【特許文献２】特開平7-7404
【特許文献３】実登 3126603
【考案の開示】
【考案が解決しようとする課題】
【０００４】
餌をアリやナメクジ等の侵入から防ぎ、シンプルで安定感のあるネジ構造の一体型で、餌入れと飲水入れ容器は取り外し可能で単独使用も出来るペット用の食器である。その為、簡単に取り外せ、底が丸みを成しているので洗浄が楽で衛生的である。別々に取り扱い出来るので,餌の残りを無駄にせず経済的でもある。容器の縁全てにこぼれ防止の膨らみを付けてあるので回りにこぼれ難い。
【課題を解決するための手段】
【０００５】
外側に飲水容器をその内部に全周で外側容器と水面で隔離されるように取外し可能で別々に使用できる餌食器を有し、外側にアリやナメクジの嫌いな水、内側に餌の容器を配置する事となり、アリやナメクジの侵入から餌を守る事が出来る。
【０００６】
餌入れと水入れの容器は、餌入れ容器底部着脱部と水入れ上部の着脱部と接する面の双方に半円筒形の突起部分を設けネジ構造により図6のようにひねって組み合わせ、簡単に着脱出来る。又各々安定しているので単独でも使用可能。又、その着脱部の距離は着脱部の円周の2分の１から4分の1程度の簡単な物にする。
【０００７】
内部の餌容器は外側の水入れ容器の水面より高い位置にし装着面への水の浸入を少なくする。
【０００８】
餌入れと水入れどちらの容器内も6・7のように底に丸みを持たせ、縁トップには切れ間なく図5のような球を転がしたような形の膨らみを持たせることにより、内容物をこぼれ難くする。              
【考案の効果】
【０００９】
以上説明したように本考案は、餌を取り囲むように水を溜める溝がある為、アリやナメクジ等の侵入を防止する。従来の類似容器とは違い、ネジ構造で着脱できる。その為、１と２の容器の外れ転倒が防止され、又1の容器の底も安定しているので外し単独使用可能。分割位置が2の水入れ容器の最高水位より高く、1と2の容器の着脱ネジ構造部分が凸型になっている為水が浸入しても水はけが良い。容器の底が滑らかなので手入れが楽。1と2の容器の縁を５のような補強をしてあるので、内容物がこぼれ難い。従来の類似容器は、取外し可能な物でなかった為別々に使用したり洗浄したりが出来なかった。本考案は、それらを全て解決できる。
【考案を実施するための最良の形態】
【００１０】
2の水入れを外側の容器に、その内側に1の餌入れ容器をネジ構造によりセット配置、水は常に2の水入れに入っているようにする。
【実施例１】
【００１１】
適切素材としては、価格面から、安価な透明、又は透明なプラスチックス。耐久性面から、金属。又は、両方の組み合わせ。
【実施例２】
【００１２】
1と2の容器は、ネジ構造による組重ねにより転倒しないようになっている。尚、ネジ構造のネジの長さは、着脱面円周の2分の1から4分の1程度の簡単なもの。
【実施例３】
【００１３】
ペットの体の大きさにより容器の大きさを変える事でペットが使い安い。
【図面の簡単な説明】
【００１４】
【図１】本案ペット用食器の斜図
【図２】図1の平面図
【図３】図1の立面図
【図４】図1のA-A断面図
【図５】器縁取り部分断面図
【図６】器の分割状態を表す図
【図７】餌入れ容器を外した水入れのみの平面図
【符号の説明】
【００１５】
1  餌入れ容器
2  水入れ容器
3  ネジ構造装着面
4  分割位置
5  容器縁取り
6  餌入れ容器底
7  水入れ容器底
A  断面位置
【図１】
0003129762.tif 000003
【図２】
0003129762.tif 000004
【図３】
0003129762.tif 000005
【図４】
0003129762.tif 000006
【図５】
0003129762.tif 000007
【図６】
0003129762.tif 000008
【図７】
0003129762.tif 000009
【手続補正書】
【提出日】平成18年12月13日(2006.12.13)
【手続補正１】
【補正対象書類名】実用新案登録請求の範囲
【補正対象項目名】請求項４
【補正方法】変更
【補正の内容】
【請求項４】
餌容器と飲水容器の各々の容器縁上部に沿って断面が、円状になるように膨らみを持たせた、請求項1のペット用餌水入れ食器。
(57)【要約】      （修正有）【課題】メンコをゴムにかけて銃身の上におき、引き金を引くと緊張していたゴムがフックから外れてメンコが発射されゴムがメンコから容易にはずれるゴム銃。【解決手段】銃身１の先端の銃口に左右に伸びる針金の角６を固定し、その先にゴム７を固着することにより、ゴムを引っ張ってフック４にかけ，銃身にのせたメンコ８をゴムにかけ引き金３を引くとフックがはずれゴムがメンコを引きメンコが前方に飛ぶがその直後にゴムがメンコから容易にはずれるようになった。【選択図】図２
0003129767.tif 000002
【実用新案登録請求の範囲】
【請求項１】
メンコを銃身にのせてゴムでメンコを発射するゴム銃で銃口に左右に伸びる針金の角を固定し、左右の角の先にゴムを固着したメンコ飛ばし用ゴム銃。
【考案の詳細な説明】
【技術分野】
【０００１】ゴムが銃から離れないゴム銃を用いたメンコ飛ばしはまだ行われていない。この考案はメンコがゴムから外れやすくなるように銃口に左右に伸びる針金の角をつけて、角の先にゴムを固着し、メンコを載せるプラットホームを銃身の左側に設置したものである。
【背景技術】
【０００２】メンコを輪ゴム飛ばし銃の銃身にのせて輪ゴムをメンコに掛けて飛ばすことは出来るが輪ゴムも一緒に飛んでいってしまう。この点を解決するためにゴム銃の先端の銃口にゴムを固着することが考えられるが、単にゴムを固着しただけではメンコがゴムから外れにくい。この点を解決するために銃口に左右に伸びる針金の角を固定し角の先にゴムを固着した。この考案によりメンコが発射された時、銃口でゴムがメンコから外れやすくなりメンコがよく飛ぶようになった。またメンコを銃身に載せるプラットホームを銃身の左側に付けた。
【考案が解決しようとする課題】
【０００３】メンコをゴムで飛ばす銃においてメンコが発射された直後にゴムから外れやすくすることが本案の課題である。
【課題を解決するための手段】
【０００４】メンコをゴム銃で発射した時、銃口に付けたゴムからメンコが容易に外れるようにするために銃口に左右に伸びる針金の角を固定し、角の先にゴムを固着した。また銃身の左側にメンコを載せるプラットホームをもうけた。
【考案の効果】
【０００５】銃口につけた左右に伸びる角の先からゴムが伸びているためメンコからゴムが離れやすくなりメンコがよく飛ぶようになった。本考案は輪ゴムを銃口にかけて飛ばす輪ゴム銃とは異なり輪ゴムがメンコと一緒に飛ぶことがなく便利である。
【考案を実施するための最良の形態】
【０００６】ゴム銃の銃口に左右に伸びる針金の角を固定し角の先にゴムを固着する。また銃身の左側にメンコを載せるプラットホームを固定する。
【実施例】
【０００７】図１はメンコ飛ばしゴム銃のゴム符号７を引いてフック符号４にかけ、メンコ符号８を銃身符号１にのせてゴム符号７をかけている状態である。このような状態で図２の引き金符号３を引くとフック符号４が外れメンコ符号８はゴム符号７に引かれてメンコ符号８が発射される。メンコ符号８は銃口でゴム符号７から離れて飛行する。
【図面の簡単な説明】
【図１】  メンコ飛ばし銃の平面図
【図２】  メンコ飛ばし銃の側面図
【符号の説明】
【０００８】１  銃身
２  グリップ
３  引き金
４  フック
５  プラットホーム
６  針金の角
７  ゴム
８  メンコ
【図１】
0003129767.tif 000003
【図２】
0003129767.tif 000004
(57)【要約】      （修正有）【課題】地震の揺れを吸収する免震（耐震）構造の建造物を構築すること。【解決手段】大地にしっかりと固定されたベタ基礎を上部と下部に二分する、すなわち縁切りすることによって、建造物主体には地震から解放され、地震の揺れを吸収する免震（耐震）構造の建造物を構築することを可能にしたもの。【選択図】図１
0003129768.tif 000002
【実用新案登録請求の範囲】
【請求項１】
地震に対する免震（耐震）の建築物を考案したもので、ベタ基礎の部分を地中と地表とに二分することによって地震の揺れを吸収するようにした免震（耐震）の機能を有した建造物
【考案の詳細な説明】
【考案の開示】
【考案が解決しようとする課題】
【０００１】  地震に対する免震（耐震）構造の家を追究すればするほど頑丈にするなどの固定の方法にのみ固執して震度が大きくなればなるほど家の倒壊をはじめ家の中の家財道具や家具や食器類に被害が拡大すること。
【課題を解決する為の手段】
【０００２】  地震に対する構造上ひと工夫で完全なる免震（耐震）の建造物が可能となる。
つまり建造物のベタ基礎部分を二分して大地（基礎）と建物主体とを完全に切り離す（縁切りする）ことによって、地震の振動を建造物に伝えないようにする。また、従来の耐震構造はそのまま踏襲することによってほぼ完全になる。
【考案の効果】
【０００３】  ▲１▼  建造物の基礎部分と建物主体とを完全に切り離す（縁切りする）ことで可動部分が滑るように地震を吸収する。
▲２▼  基礎の部分を縁切りしているので、ほぼ完全な免震（耐震）の機能を有しており、しかも建物の部分の建築方法は従来と全く変わりないという事。
▲３▼  縁切りしたベタ基礎の下の部分が地表に少し出ているので、犬走りのある家として日常生活上便利である。
【図面の簡単な説明】
【０００４】
【図１】  建造物のベタ基礎部分を二分し建物主体とを完全に切り離している立面図である。
【符号の説明】
１  縁切り
２  ベタ基礎部分（下部）
３  ベタ基礎部分（上部）
４  犬走り
【図１】
0003129768.tif 000003
(57)【要約】【課題】歯を磨くとき歯ブラシの毛が直毛のため、歯の表面や歯間の食べ滓や歯石、歯垢を除去するのに、歯と歯ブラシの間で磨きロスが生じ、歯磨き効果を得るのに手間と時間が掛かりなかなか清潔で綺麗な歯を維持することが難しかった。【解決手段】合成樹脂でできた歯ブラシの毛の部分に、曲げて成形した曲毛を配した歯ブラシで歯を磨くことにより、曲毛の持つ弾力性と、直毛の持つバネ力により、歯間に食い込む度合いが増し、歯磨き時に掃出しの動作を繰返すことにより、曲毛の穂先と次に配した直毛の穂先とで歯に当たるタイミングのズレが生じ、歯石や歯垢の掘り起こし効果が増大し高い歯磨き効果を得ることが可能となる。【選択図】図１
0003129736.tif 000002
【実用新案登録請求の範囲】
【請求項１】
の考案は、合成樹脂からなる歯ブラシの毛の部分に、曲げて成形した曲毛を配置し、曲毛の弾力と直毛のバネ力とにより、歯磨き効果を向上させたことを特徴とした歯ブラシ。
【考案の詳細な説明】
【技術分野】
【０００１】本考案は，口腔清掃具に関し、更に記述すると、日々の歯磨き時に使用される歯ブラシの毛の部分に、曲げ成形を施した曲毛を配した歯ブラシであって、歯磨き時に容易にかつ効率的に歯磨き効果を得ることが出来る歯ブラシに関する。【０００２】近年，歯ブラシの種類も増しデザインも多様化し、柄の角度とか穂先のカット等、様々な工夫がなされ、種々の歯ブラシが生産されている。
【考案の開示】
【考案が解決しょうとする課題】
【０００３】しかしながら、食べ滓や、歯石や歯垢を取除き易く作成された歯ブラシは無く、歯磨きに時間を要し、しかも歯磨き効果が不充分で清潔な歯を維持しにくかった。
【課題を解決するための手段】
【０００４】本考案は前記課題を解決するため、下記の歯ブラシを提供する。
請求項１の考案は、合成樹脂でできた歯ブラシの毛を曲げて成形した曲毛を配した歯ブラシで、口中の、食べ滓や歯垢、歯石を効率良く取り除くことを、可能に構成したことを特徴とする歯ブラシである。
【考案の効果】
【０００５】本考案によれば、曲げて成形した曲毛を配した歯ブラシの、曲がった毛の穂先を、口中の歯間の方向へ向けてあてがい、掃出しの歯磨き動作を繰返すことにより、食べ滓や歯石、歯垢、の取除きが容易となり、比較的短時間に清潔で健康的な歯磨き効果を得ることが可能な歯ブラシを提供することができるものである。
【考案を実施するための最良の形態】
【０００６】本考案は、曲げて成形した曲毛を配した歯ブラシであって、曲毛と、直毛の配置の状態から成り立っており、実施するための最良の形態を、一実施例として図面を参照し、更に詳しく説明する。
【実施例】
【０００７】図１は本考案に係る歯ブラシの斜視図、図２は図１のＡ−Ａ線に沿った断面矢視図であり、図３は図１に開示する歯ブラシの使用効果発生の説明図である。【０００８】上記、歯ブラシは、図１に示したように、直毛１を取り囲むように曲毛２を配した構成であり、それぞれが外側を向くように設置されたものである。【０００９】また、図２に示すように、曲毛２の内側に配した直毛１は歯の平面部を磨く時に効率よく歯に当たるように、両端の曲毛２よりやや長めに設定されている。【００１０】本考案の歯ブラシを使った効率的な歯磨きは、図３に示すように、曲毛２の穂先を歯間の方に向けてあてがい、掃出しの動作を繰返すことにより弾力性の有る曲毛２の束とバネ力の有る直毛１の束の穂先が交互に歯間に食い込み歯磨き効果を高め、比較的短時間に効率よく歯を磨くことが可能であり健康的な歯を得ることができる。【００１１】尚、図４に示すように、本考案の歯ブラシの前端部に配した直毛１の束は、前歯や奥歯の歯間の穿り磨きに有効である。【００１２】また、図４に示すように、歯ブラシの後端部に配した曲毛２の束は、歯ブラシを手前にしゃくりながら磨く時に有効で、曲毛の弾力により効率的な歯磨きができるものである。【００１３】以上、本考案の一実施形態について詳細に説明したが、本考案は上記実施の形態に限定されず、本考案の要旨を逸脱しない範囲で種々変更しても差し支えない。
【産業上の利用可能性】
【００１４】本考案の、成形した曲毛を配した歯ブラシは、合成樹脂で出来たブラシの毛に曲げ加工を施したものであり、大量生産が可能で安価に提供できるものである。
【図面の簡単な説明】
【００１５】
【図１】本考案の一実施態様に係る歯ブラシの斜視図である。
【図２】図１のＡ−Ａ線に沿った断面矢視図である。
【図３】図１に開示する歯ブラシの使用効果の発生説明図である。
【図４】歯ブラシの前端部と後端部の拡大図である。
【符号の説明】
【００１６】１    曲毛の束
２    直毛の束
３    ブラシの前端部
４    ブラシの後端部
【図１】
0003129736.tif 000003
【図２】
0003129736.tif 000004
【図３】
0003129736.tif 000005
【図４】
0003129736.tif 000006
【手続補正書】
【提出日】平成18年11月22日(2006.11.22)
【手続補正１】
【補正対象書類名】実用新案登録請求の範囲
【補正対象項目名】全文
【補正方法】変更
【補正の内容】
【実用新案登録請求の範囲】
【請求項１】
合成樹脂からなる歯ブラシの毛の部分に、曲げて成形した曲毛を配置し、曲毛の弾力と直毛のバネ力とにより、歯磨き効果を向上させたことを特徴とした歯ブラシ。
(57)【要約】【課題】従来のアルミパネルは、照明等を取付けた際に、別途に電源を個々に供給する必要があった。【解決手段】アルミパネルを２枚重ね合わせ、絶縁材を挟み込み、端部に電源を接続することでアルミパネル自体により電源を供給する。照明等には接点を設け、パネルに取り付けることにより通電する。【選択図】図１
0003129735.tif 000002
【実用新案登録請求の範囲】
【請求項１】
アルミパネルを２枚重ね合わせ、絶縁材を挟み込み、端部に電源を接続することで、そのパネルに取り付けた照明等に、電源を供給できることを特徴とするアルミパネルシステム。
【考案の詳細な説明】
【技術分野】
【０００１】この考案は、パネルに取り付けた照明等に、電源供給が可能なアルミパネルのシステムに関するものである。
【背景技術】
【０００２】従来のアルミパネルは、照明等の取付けは可能であるが、電源の供給については考慮していない。
【考案の開示】
【考案が解決しようとする課題】
【０００３】しかしながら、以上の方式によれば、アルミパネルに照明等を取り付けることは可能であるが、別途に電源を個々に供給しなければならない。
【課題を解決するための手段】
【０００４】以上の課題を解決するために、アルミパネルを２枚重ね合わせ、絶縁材を挟み込み、端部に電源を接続することでアルミパネル自体により電源を供給する。照明等には接点を設け、パネルに取り付けることにより通電する。
【考案の効果】
【０００５】この考案によれば、アルミパネルにより通電するので、別途に電源供給を必要としない。
【考案を実施するための最良の形態】
【０００６】この考案の一実施形態を、図１に示す。２枚のアルミパネルは絶縁材により挟み込まれ、取り付ける照明等には、接点を設ける。２枚のアルミパネルには直流電源が取り付けられている。【０００７】「実態形態の効果」
この実態形態によれば、接点の設けられた照明等を取り付けることにより、照明等には電源が供給され、個々に電源を供給する必要がない。また、取り付け位置については、アルミパネルの取り付け開口にあわせてフレキシブルに移動可能である。
「他の実態形態」
図１の実態形態では、アルミパネルの開口は円形１箇所であるが、他の実態形態としては、アルミパネルの開口を複数箇所とすることで、取り付け形態にフレキシブル性を与えることが可能である。
【図面の簡単な説明】
【０００８】
【図１】この考案の一実態形態を示す図である。
【図２】この考案の部分詳細を示す図である。
【図３】従来技術を示す図である。
【図１】
0003129735.tif 000003
【図２】
0003129735.tif 000004
【図３】
0003129735.tif 000005
(57)【要約】      （修正有）【課題】電動車両の速度を調節するときに起こる、急激なブレーキ現象による車両のスリップを低減する。【解決手段】モーターの急激な回転降下を抑えるために、スロットルをオフにしたときに、モーターへの通電を緩やかに下げていくことにより、モーターの急激な回転降下を抑えることを実現する。【選択図】図１
0003129733.tif 000002
【実用新案登録請求の範囲】
【請求項１】
スロットルの開度を読み取るエンコーダと、モータードライバーの間に取り付けられることを特徴とするスロットル信号変換装置
【請求項２】
スロットルの開度信号を変換して、モータードライバーへ伝えることを特徴とするスロットル信号変換装置
【考案の詳細な説明】
【技術分野】
【０００１】本考案の装置は、電動車両の動力システムに関するものである。
【背景技術】
【０００２】従来の電動車両の動力システムは、走行中に減速するために、速度を調節するスロットルをオフにすると、モーターへの通電を完全に停止していた。
【考案の開示】
【考案が解決しようとする課題】
【０００３】走行中に減速するために、速度を調節するスロットルをオフにすると、モーターへの通電を完全に停止する動力システムの場合、スロットルをオフにすると同時に、モータードライバーはモーターへの通電を完全に停止し、モーターの回転が急激に降下するため、車両へも急激なブレーキがかかり、その結果、車両がスリップする危険性がある。従って、モーターの急激な回転降下を防ぐことにより、前述の危険を低減できる。
【課題を解決するための手段】
【０００４】本考案の装置は、スロットルの開度を読み取るエンコーダと、モーターの回転を制御するモータードライバーの間に取り付けられ、エンコーダからのスロットル開度信号を、変換してモータードライバーに伝えことを可能とする。【０００５】そして、スロットルをオフにしたときのスロットルの開度信号を、緩やかに下がる開度信号に変換して、モータードライバーへ伝えることにより、モータードライバーは、モーターへの通電を緩やかに下げ、モーターの急激な回転降下を抑えることを実現し、問題点を解決している。
【考案の効果】
【０００６】上述のようにして、車両の減速のためスロットルをオフにした際の、モーターの急激な回転降下を抑えることにより、車両に急激なブレーキがかからず、その結果、滑りやすい路面で、車両がスリップする危険性が軽減される。
【考案を実施するための最良の形態】
【０００７】本考案の装置は、スロットルの開度を読み取るエンコーダと、モータードライバーの間に取り付けられ、通常はエンコーダが読み取ったスロットルの開度信号を、そのままモータードライバーに伝達する機能を持ち、また、走行中にスロットルがオフにされたことを検出した場合は、エンコーダが読み取ったスロットルの開度信号を、緩やかに下がる開度信号に変換して、モータードライバーに送る機能を持つ。
【実施例】
【０００８】以下、本考案の実施例を添付図面に基づいて説明する。図１は、本考案の装置を用いた電動車両の動力システム図で、１は操作者が車両の速度を調節するスロットル、２はスロットルの開度を読み取り、その開度を電気信号に置き換え、モータードライバーへ伝えるエンコーダ、３はエンコーダからの電気信号を変換し、モータードライバーへ伝える本考案のスロットル信号変換装置、４はエンコーダからの電気信号に従い、バッテリーからモーターへの供給電力を調節することにより、モーターの回転をコントロールするモータードライバー、５はバッテリー、６はモーターである。
【図面の簡単な説明】
【０００９】
【図１】本考案の装置を用いた電動車両の動力システム図である。
【符号の説明】
【００１０】１…スロットル
２…エンコーダ
３…スロットル信号変換装置
４…モータードライバー
５…バッテリー
６…モーター
【図１】
0003129733.tif 000003
【手続補正書】
【提出日】平成18年11月22日(2006.11.22)
【手続補正１】
【補正対象書類名】実用新案登録請求の範囲
【補正対象項目名】全文
【補正方法】変更
【補正の内容】
【実用新案登録請求の範囲】
【請求項１】
スロットルの開度を読み取り電気信号に変換するエンコーダと、その電気信号を任意の信号へ変換する機能を持つスロットル信号変換装置と、バッテリーからの電力をモーターに供給するモータードライバーと、を含んで構成された車両の制御装置。
(57)【要約】      （修正有）【課題】紐端部の継目が瘤結びの場合、袋を閉じる際、結束し難い場合がある。紐通しの中に紐の継目が隠れたりして、紐通し左右両端の開口部では、左方向へ牽引すべき紐と右方向へ牽引すべき紐の識別が出来ない事がある。手袋着用など手元が不自由な場合でも容易に扱える事が望ましい。巾着袋を生産する際に紐通しへ既に紐が１本装填されている場合に、２本目のひもを装填するには多少の困難が有る場合がある。【解決手段】巾着袋の紐を瘤結びでは無い、継目と他部分とが差異無い接続状態にする。紐通しを２段とし、紐を上段と下段の夫々に１本づつ装填する。紐通しの開口部で２本の紐が夫々左右別方向へ牽引され易い工夫を施す。【選択図】図３
0003129739.tif 000002
【実用新案登録請求の範囲】
【請求項１】
巾着袋において、口を閉じ、且つ袋を吊り下げる為の紐を通す、通称「紐通し」が、二段と成っている巾着袋。
【考案の詳細な説明】
【技術分野】
【０００１】  本考案は、老人子供のみならず、目や指先が不自由な人でも、左右に引き分けねば成らない２本の紐を、誰でも、少々鈍感な自動機でも、容易に識別できる、巾着袋である。
【背景技術】
【０００２】  従来巾着袋は  左右に引き分けねば成らない２本の紐を識別し易い為に、２本の紐の夫々左右の紐通し開口部に相当する部分へ  結び瘤を施していた。此は手芸として素晴らしい知恵ではあるが、瘤結びは  手袋着用など手元不自由など  袋を閉じる際の結束の妨げとなる場合もあり、他方工業生産では甚だ不都合であり、需要先での自動化では障害となる。【０００３】  工業生産では紐の輪を造るのに、瘤結びでは無い方法もあり、自動充填では紐牽引の為、紐の採取に、結び瘤はマジックハンドの構造を徒に難しくしてしまう。
【考案の開示】
【考案が解決しようとする課題】
【０００４】  ２本の紐を  紐通しへ装填する以前でも  紐を瘤結びするのは  健常者には容易でも、自動機には大変難しく、ましてや  装填以後では不可能に近い。【０００５】  従来の巾着袋は、紐通しが１段しかなく、それに２本の紐を通し、２つの継目が左右反対側に位置する様に装填するのは  工業生産には大変困難である。【０００６】  もしも、紐通しの左右の開口部に紐の継目が位置せず、まして、隠れて居たら、健常者でも難しく、自動機に左右夫々正しく採取させるのは不可能に近い。
【課題を解決するための手段】
【０００７】  ２本の紐を瘤結びではなく、プラスチック紐では融着で繋げば自動化も高速度で可能、且つ袋生産ラインへビルトインも可能となる。【０００８】  紐通しを２段にすれば、自動装填機でも、２本の紐を、左右夫々正しく装填可能で、自動充填機でも同じ紐を左右に牽引する誤作動は無く、身障者でも識別可能である。
【考案の効果】
【０００９】  本考案の巾着袋は、老人子供や身障者にも正しく閉じる事が可能で、ましてや、自動化した、袋生産システムや中身充填システムを容易に機械化するものである。
【考案を実施するための最良の形態】
【００１０】  図１のように  巾着袋の紐通し部分を２段とし、夫々に牽引用紐を装填する。
【実施例１】
【００１１】  図２のように  巾着袋紐通しの左右端へ開口部を設け  紐通しの上下２段の夫々に夫々各１本の紐を施す。
【実施例２】
【００１２】  図３のように  紐通しの  上段の左端へ開口部を設け  下段の右端へ開口部を設け、紐通しの上下２段の夫々に夫々各１本の紐を施す。
【産業上の利用可能性】
【００１３】  一般消費者であれ産業であれ  中身充填後、密封の必要は無いが、中身がこぼれない、安直確実な閉口結束方法として  ごみ袋などに巾着袋は重宝であるが、  それを更に、老人・身障者の生活必需品として  農林水産など手袋したままの作業の場合などに合う、２段紐通し巾着袋を供給することは  大きな需要が想定される。
【図面の簡単な説明】
【００１４】
【図１】従来からの巾着袋の紐通しを２段にしたものである。
【図２】左右端の開口部が上段下段連通となり図１の場合より大口径が得られる。
【図３】上段下段の開口部が夫々  左右端の何れかに有り  同じ紐を引く誤りが無い。
【符号の説明】
【００１５】    １巾着袋本体
２紐通し
３紐
４開口部
【図１】
0003129739.tif 000003
【図２】
0003129739.tif 000004
【図３】
0003129739.tif 000005
【手続補正書】
【提出日】平成18年11月21日(2006.11.21)
【手続補正１】
【補正対象書類名】実用新案登録請求の範囲
【補正対象項目名】全文
【補正方法】変更
【補正の内容】
【実用新案登録請求の範囲】
【請求項１】
巾着袋において、口を閉じ且つ袋を吊り下げる為の紐を通す紐通しが、二段と成っている巾着袋。
(57)【要約】      （修正有）【課題】競技者が旗を用意する労力及び費用負担を軽減し、スポンサー及びゴルフ場の協力で旗に付加価値を付け、競技者に充実した楽しいプレーを提供する。【解決手段】旗を簡単且つ確実に着脱出きるように改良した竿を提供する。着脱に必要な穴をファイル用穴にすることにより旗を容易に作成することが出きる。広告部分を設けることによりゴルフ場で負担無く旗を提供する。掲示部分を設けることにより、付加価値のついた旗を提供する。【選択図】図１
0003129714.tif 000002
【実用新案登録請求の範囲】
【請求項１】
ゴルフで使用するニアピン及びドラコンの旗の竿部分を公開実用昭和５６−１０４５７０で提示するものとは異なるファイル用の穴を利用した簡単で確実に旗を保持でき且つ記入時に便利な下敷きを兼ね備えた竿を提示する。
【請求項２】
請求項１に記載の竿に使用する旗には達成者等の記入部分、ニアピン、ドラコン表示部分に加え、スポンサーの広告部分と記載部分（例えばローカルルール、豆知識、ゴルフ名言集、ワンポイントアドバイス、宝くじ、ゲーム等）を設けて付加価値を高めたものにする。
【考案の詳細な説明】
【技術分野】スポーツ用具一般
【考案が解決しようとする課題】
公開実用昭和５６−１０４５７０で提示の優れた利便性「繰り返し使用し環境にも優しく、集計の際取り扱いが容易となる」を実用化する為提示されたものとは異なる竿を提示する．
旗に付加価値を付け競技者に楽しく充実したゴルフが出きる旗を提示する。
競技者がその都度用意する労力、費用を軽減する。
用意できなかった競技者がスコアーカード等で作る代替品によるスコアーカードのムダな使用を避け美的及び取り扱いの悪さを改善する為ゴルフ場で負担無く用意できる旗を提示する。
【考案が解決するための手段】
公開実用昭和５６−１０４５７０で提示のものと異なり、旗を固定する穴にファイル用の穴を利用した竿を使用することにより簡単で確実に着脱できる竿を提供する。
旗に広告部分と掲示部分を設けて付加価値をつける。
旗部分の作成を容易にする為、保持する穴は一般に使用しているファイル用の穴を使用する。
【考案の効果】
公開実用昭和５６−１０４５７０で提示の「繰り返し使用し環境にも優しく、集計の際取り扱いが容易となる」優れた利便性を実用化できる。
広告部分を設けることによりスポンサーは広告の手段として利用できる、
スポンサーとゴルフ場との協力により旗をゴルフ場で負担無く用意でき競技者へのサービスを提供できる。
競技者は旗を用意する労力、費用負担の必要がなくなり、且つ付加価値のついた旗（例えばローカルルール、豆知識、ゴルフ名言集、ワンポイントアドバイス、宝くじ、ゲーム等）により楽しく充実したゴルフが出きる。
競技会で独自の旗を用意したい場合でもファイル用の穴を利用出きるので容易に作成できる。
【図面の簡単な説明】竿▲１▼はプラスチックで作成しカードが保持出きるホルダー▲２▼を設け、旗を固定するための固定具▲７▼を設ける。
旗▲３▼には記入部分及びニアピン及びドラコンの表示部分▲６▼に加えスポンサーの広告部分及びゴルフ場の掲示部分▲５▼を設ける。
【符号の説明】
▲１▼  竿部分
▲２▼  ホルダー部分
▲３▼  旗部分
▲４▼  ファイル兼固定用穴
▲５▼  広告及び掲示部分
▲６▼  ニアピン、ドラコン表示部分及び記入部分
▲７▼  固定具
【図１】
0003129714.tif 000003
【図２】
0003129714.tif 000004
【手続補正書】
【提出日】平成18年11月24日(2006.11.24)
【手続補正１】
【補正対象書類名】実用新案登録請求の範囲
【補正対象項目名】全文
【補正方法】変更
【補正の内容】
【実用新案登録請求の範囲】
【請求項１】
ゴルフで使用するニアピン及びドラコンの旗をファイル用６ｍｍ丸穴と固定具を使用して着脱可能で且つ記入時に用いる下敷きを兼ね備えた竿をもつニアピン、ドラコンの旗。
【請求項２】
請求項１に記載の旗には達成者等の記入部分、ニアピン、ドラコン表示部分に加え、スポンサーの広告部分と記載部分を設けてあることを特徴とするニアピン、ドラコンの旗。
【手続補正２】
【補正対象書類名】明細書
【補正対象項目名】全文
【補正方法】変更
【補正の内容】
【考案の詳細な説明】
【技術分野】
【０００１】スポーツ用具一般
【考案が解決しようとする課題】
【０００２】公開実用昭和５６−１０４５７０で提示の優れた利便性「繰り返し使用し環境にも優しく、集計の際取り扱いが容易となる」を実用化する為提示されたものとは異なる竿を提示する．旗に付加価値を付け競技者に楽しく充実したゴルフが出きる旗を提示する。競技者がその都度用意する労力、費用を軽減する。用意できなかった競技者がスコアーカード等で作る代替品によるスコアーカードのムダな使用を避け美的及び取り扱いの悪さを改善する為ゴルフ場で負担無く用意できる旗を提示する。
【考案が解決するための手段】
【０００３】公開実用昭和５６−１０４５７０で提示のものと異なり、旗を固定する穴にファイル用の穴を利用した竿を使用することにより簡単で確実に着脱出きる竿を提供する。旗に広告部分と掲示部分を設けて付加価値をつける。旗部分の作成を容易にする為、保持する穴は一般に使用しているファイル用の穴を使用する。
【考案の効果】
【０００４】公開実用昭和５６−１０４５７０で提示の「繰り返し使用し環境にも優しく、集計の際取り扱いが容易となる」優れた利便性を実用化できる。広告部分を設けることによりスポンサーは広告の手段として利用できる、スポンサーとゴルフ場との協力により旗をゴルフ場で負担無く用意でき競技者へのサービスを提供できる。競技者は旗を用意する労力、費用負担の必要がなくなり、且つ付加価値のついた旗（例えばローカルルール、豆知識、ゴルフ名言集、ワンポイントアドバイス、宝くじゲーム等）により楽しく充実したゴルフが出きる。競技会で独自の旗を用意したい場合でもファイル用の穴を利用出きるので容易に作成できる。
【図面の簡単な説明】
【０００５】
【図１】竿▲１▼はプラスチックで作成し支柱にホルダー部分▲２▼を設ける。  ホルダー▲２▼の上下端にはファイルで使用する６ｍｍ丸穴に合うピンを設ける。旗▲３▼の左端にはピンに合う６ｍｍ丸穴を設ける。旗▲３▼の穴をホルダー▲２▼のピンに入れ図２の固定具▲７▼を被せ旗を固定する。旗表面は達成者記入部分、ニアピン、ドラコン表示部分▲６▼に加えスポンサーの広告部分、ゴルフ場名、懸賞、ゴルフ名言集等々、旗に付加価値を高める事項が記載された部分▲５▼を設ける。
【図２】固定具▲７▼には図１で示すピンが挿入される穴を設ける。固定具の上下端には図１で示すホルダー▲２▼と接合して固定する爪を設ける。
【符号の説明】
【０００６】▲１▼  竿部分▲２▼  ホルダー部分▲３▼  旗部分▲４▼  ファイル兼固定用穴▲５▼  広告及び掲示部分▲６▼  ニアピン、ドラコン表示部分及び記入部分▲７▼  固定具